(57)【要約】  【課題】引出し装置を備えた冷蔵庫に関し、ガタツキの少ない高品位かつ荷重を加えても操作力の小さい安全で品位に優れた引出しを有する冷蔵庫を提供する。  【解決手段】レール部材３１は固定レール３１ａと、移動レール３１ｂと、中間レール３１ｃと、中間レール３１ｃと固定レール３１ａおよび移動レール３１ｂとの間を支持する回転支持部材である複数のベアリング３１ｄとからなり、固定レール３１ａと移動レール３１ｂと中間レール３１ｃとベアリング３１ｄとを予め組み込んだ状態で固定レール３１ａを内箱２０の両側壁面に固定し、扉支持部材３７に移動レール３１ｂを固定し、扉支持部材３７は扉を引き出した状態で後端３９が中間レール３１ｃの前端４０よりも後方に位置するものであり、摺動性を高めながら強度を増すことで安全性、品位の向上を図ることができる。【選択図】図２
2006118857.tif 000002
【特許請求の範囲】
【請求項１】
内箱と、外箱と、前記内箱と外箱間に充填した発泡断熱材とよりなる前面開口部を有する断熱箱体と、前記断熱箱体内に形成された貯蔵室と、前記貯蔵室の内部に備えた容器と、前記容器を前後に移動可能とするレール部材と、内板と外板と前記内板と外板間に充填した発泡断熱材とからなる扉とを備え、前記レール部材は回転支持部材で支持された固定レールと移動レールと中間レールとが予め組み込まれたものであって前記固定レールを前記断熱箱体の両側壁面に固定し、前記移動レールを前記扉に連結された扉支持部材に固定し、前記扉支持部材は扉を引き出した状態で後端が前記中間レール前端よりも後方に位置する冷蔵庫。
【請求項２】
前記扉支持部材は後端を前記移動レール突起部に係止し、前端で移動レールにビス固定されたことを特徴とする請求項１に記載の冷蔵庫。
【発明の詳細な説明】
【技術分野】
【０００１】
本発明は、引出し装置を備えた冷蔵庫に関し、特に引出しレールと扉との支持構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、内箱と、外箱と、前記内箱と外箱間に充填した発泡断熱材とよりなる前面開口部を有する断熱箱体と、前記断熱箱体内に形成された貯蔵室と、前記貯蔵室の内部に備えた容器と、前記容器を前後に移動可能とするレール部材と、内板と外板と前記内板と外板間に充填した発泡断熱材とからなる扉とを備え、前記レール部材は回転支持部材で支持された固定レールと移動レールと中間レールとが予め組み込まれたものであって前記固定レールを前記断熱箱体の両側壁面に固定し、前記移動レールを前記扉に連結された扉支持部材に固定し、前記扉支持部材は扉を引き出した状態で後端が前記中間レール前端よりも後方に位置するものである。
【００１０】
これによってレール部材と扉支持部材の構成自体の強度アップが図れ、さらに、容器全体の受け面が構成されることで安定した容器支持が図れる。
【００１１】
また、固定レールと移動レールとのクリアランスを小さくすることができ、ガタの少ない高品位な引出しを構成することができる。
【００１２】
さらに、扉支持部材と中間レールとで移動レールを挟み込む形をとり、移動レールの強度をカバーすることで、扉支持部材とレール部材の構成自体の強度アップが図れる。
【発明の効果】
【００１３】
本発明の冷蔵庫は、ガタが小さく、容器に荷重を加えた場合でも滑らかに引出しを開閉することができ、高品位で使い勝手の良い強度を高めた引出し収納を構成することができる。
【発明を実施するための最良の形態】
【００１４】
請求項１に記載の発明は、内箱と、外箱と、前記内箱と外箱間に充填した発泡断熱材とよりなる前面開口部を有する断熱箱体と、前記断熱箱体内に形成された貯蔵室と、前記貯蔵室の内部に備えた容器と、前記容器を前後に移動可能とするレール部材と、内板と外板と前記内板と外板間に充填した発泡断熱材とからなる扉とを備え、前記レール部材は回転支持部材で支持された固定レールと移動レールと中間レールとが予め組み込まれたものであって前記固定レールを前記断熱箱体の両側壁面に固定し、前記移動レールを前記扉に連結された扉支持部材に固定し、前記扉支持部材は扉を引き出した状態で後端が前記中間レール前端よりも後方に位置するものであり、レール部材と扉支持部材の構成自体の強度アップが図れ、さらに、容器全体の受け面が構成されることで安定した容器支持が図れる。
【００１５】
また、固定レールと移動レールとのクリアランスを小さくすることができ、ガタの少ない高品位な引出しを構成することができる。また、固定レールと移動レールとの間を回転支持部材で支持することにより容器に荷重を加えた場合でも滑らかに移動レールが移動できるので引出しの操作力を低減することができ、使い勝手の向上を図れる。
【００１６】
さらに、扉支持部材と中間レールとで移動レールを挟み込む形をとり、移動レールの強度をカバーすることで、扉支持部材とレール部材の構成自体の強度アップが図れる。
【００１７】
請求項２に記載の発明は、請求項１に記載の発明において、前記扉支持部材は後端を前記移動レール突起部に係止し、前端で移動レールにビス固定されたものであり、扉支持部材とレール部材の取り付け、取り外し性を容易にすることができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の縦断面図、図２は図１の要部拡大図、図３は図１のＡ−Ａ断面図、図４は、同実施の形態の冷蔵庫のレール部材の分解組立図、図５は、同実施の形態の冷蔵庫のレール部材の断面図である。
【００２０】
図１から図５において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２１】
また、仕切壁２６の両側面は開放部２６ａを有し、仕切壁２６内部には断熱箱体１９と同様に発泡断熱材２２が充填されている。
【００２２】
野菜室２７と冷凍室２８とはそれぞれ前面開口部１９ａを野菜室扉２９と冷凍室扉３０にて閉塞され、更に野菜室２７と野菜室扉２９および冷凍室２８と冷凍室扉３０とはそれぞれレール部材３１にて連結されることにより前後方向に引出し摺動可能となっている。
【００２３】
レール部材３１は固定レール３１ａと、移動レール３１ｂと、固定レール３１ａと移動レール３１ｂとの間に備えられた中間レール３１ｃと、中間レール３１ｃと固定レール３１ａおよび移動レール３１ｂとの係合を支持する回転支持部材である複数のベアリング３１ｄとからなり、固定レール３１ａと移動レール３１ｂと中間レール３１ｃとベアリング３１ｄとを予め組み込んだ状態で固定レール３１ａを内箱２０の両側壁面に固定し、移動レール３１ｂをそれぞれの引出し扉２９に取り付けた扉支持部材３７に固定することでそれぞれの貯蔵室と引出し扉２９とを連結している。
【００２４】
また、引出し扉２９は引出し扉内板３４と引出し扉外板３５との間に発泡断熱材２２を充填したものであり、扉補強板３６を引出し扉内板３４に取り付け、扉支持部材３７を取り付け固定している。扉支持部材３７は、移動レール３１ｂの庫外側面側３８を覆う略コの字状とし、扉支持部材後端３９が移動レール３１ｂの後端とほぼ同一位置となる長さに設定され、さらに、引出し扉２９を最前方に引き出した時に扉支持部材後端３９は冷蔵庫の前面開口部１９ａより後方となる位置関係としている。なお、扉支持部材３７は移動レール３１ｂの略全長にわたり設けている。
【００２５】
また、扉支持部材後端３９は、引出し扉２９を最前方に引き出した時に、中間レール３１ｃの前端４０よりも後方に位置する設定となっている。また、扉支持部材３７は、後端で移動レール突起部４１に係止され、前端で移動レール３１ｂとビス４２にて固定されている。
【００２６】
なお、固定レール３１ａと移動レール３１ｂと、固定レール３１ａと移動レール３１ｂとの間にベアリング３１ｄを介して配設した中間レール３１ｃとからなるレール部材３１は予め組み込んだものであり、それぞれのレール間のクリアランスを最小限に設定することができる。
【００２７】
更に内箱２０の両側壁面に固定された左右のレール部材３１は左右対称の形状を有し、左右共に備えることでより良い摺動性を発揮する。
【００２８】
各貯蔵室の容器３２はレール部材３１を内箱２０に固定後に、移動レール３１ｂと固定された扉支持部材３７に支持し、各貯蔵室扉を前後方向に引き出すのと同期して移動レール３１ｂと共に前後に移動し、更に各貯蔵室扉を少なくとも全開した時に容器３２は上方向に着脱自在となっている。
【００２９】
以上のように構成された冷蔵庫について、以下その動作、作用を説明する。
【００３０】
まず、各貯蔵室扉を手前に引出すと各貯蔵室の両側部に備えられたレール部材３１の移動レール３１ｂと中間走行レール３１ｃとが回転支持部材３１ｄが回転することにより滑らかに手前側に摺動する。
【００３１】
それに伴い、レール部材３１に支持された容器３２も手前に引き出され、容器３２内に収納された被冷却物の取出し及び新たな被冷却物の収納が可能となる。
【００３２】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタの少ない高品位な引出しを構成することができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００３３】
また、扉支持部材３７は移動レール３１ｂの略全長にわたり設け、容器３２を扉支持部材３７で支持することにより、レール部材と扉支持部材の構成自体の強度アップが図れ、さらに、容器全体の受け面が構成されることで安定した容器支持が図れる。
【００３４】
また、引出し扉２９を最前方に引き出した時に扉支持部材後端３９は冷蔵庫の前面開口部１９ａより後方となる位置関係としているので、移動レール３１ｂと冷蔵庫の前面開口部１９ａの間での指詰め等を防ぐことができ、安全性向上が図れる。
【００３５】
また、扉支持部材３７は、移動レール３１ｂの庫外側面側３８を覆うように略コの字状としているので、レール部材での指傷つきを防ぐという安全性向上や、レール部材が見えにくくなることでの外観意匠の向上が図れる。
【００３６】
また、扉支持部材後端３９は、引出し扉２９を最前方に引き出した時に、中間レール３１ｃの前端４０よりも後方に位置する設定としているので、扉支持部材と中間レールとで移動レールを挟み込む形をとり、移動レールの強度をカバーすることで、扉支持部材とレール部材の構成自体の強度アップが図れる。
【００３７】
また、扉支持部材３７は、後端で移動レール突起部４１に係止され、前端で移動レール３１ｂとビス４２にて固定されているので、扉支持部材３７とレール部材３１の取り付け、取り外し性を容易にすることができる。
【００３８】
また、中間走行レール３１ｃを備えることによりレール部材３１の移動レール３１ｂの引出し代を大きくすることができるので容器３２の奥部まで引き出す事ができ、容器３２の奥部まで見渡すことが可能となり、容器３２内の被冷却物の使い忘れによるロスを防止したり、容器３２をレール部材３１に着脱することが容易となるので使い勝手の向上を図ることができる。
【００３９】
なお、本実施の形態では、野菜室２７と冷凍室２８にレール部材３１を用いたもので説明したが、引出し容器を備えた貯蔵室に適宜適用できる。たとえば、野菜室２６の上部に位置する切替室２５や、切替室２５の横に併設した製氷室（図示せず）等に用いてもよい。
【産業上の利用可能性】
【００４０】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００４１】
【図１】本発明の実施の形態１における冷蔵庫の縦断面図
【図２】図１の要部拡大図
【図３】図１のＡ−Ａ断面図
【図４】同実施の形態の冷蔵庫のレール部材の分解組立図
【図５】同実施の形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００４２】
１８  冷蔵庫
１９  断熱箱体
１９ａ  前面開口部
２０  内箱
２１  外箱
２２  発泡断熱材
３１  レール部材
３１ａ  固定レール
３１ｂ  移動レール
３１ｃ  中間レール
３１ｄ  ベアリング
３２  容器
３７  扉支持部材
３８  外側面
３９  扉支持部材後端
４０  中間レール前端
４１  移動レール突起部
４２  ビス
【図１】
2006118857.tif 000003
【図２】
2006118857.tif 000004
【図３】
2006118857.tif 000005
【図４】
2006118857.tif 000006
【図５】
2006118857.tif 000007
【図６】
2006118857.tif 000008
【図７】
2006118857.tif 000009
【図８】
2006118857.tif 000010